(57)【要約】【課題】簡単な操作でヘルメット内面に着脱することが可能であり、且つ、経時使用による劣化を防止することが可能なヘルメットの内装体係止具を提供する。【解決手段】ヘルメット１２の縁部近傍の内側に設けられ、所定の隙間距離を隔てて配置された一対のブラケット１３，１４と、正面視Ｍ字形状をなし中央谷部ｐを下方に押圧することにより、爪部３４ａ，３４ｂが内側に弾性変形する弾性変形体３４を有する差込部材１５と、を備える。そして、爪部どうしの間隔は、隙間距離よりも若干長く形成され、差込部材１５を各ブラケット１３，１４間に係止する際には、各爪部をブラケットの隙間に無理嵌めして爪部をブラケットに係止させる。また、差込部材１５の係止を解除する際には、中央谷部ｐを下方に押圧し、側面部を内側に変形させて、爪部による係止を解除する。【選択図】図２
2013112914.tif 000002
【特許請求の範囲】
【請求項１】
ヘルメットの内側に内装体を装着する内装体係止具において、
前記ヘルメットの縁部近傍の内側に設けられ、所定の隙間距離を隔てて配置された一対のブラケットと、
２つの側面部、及び中央谷部を有する正面視Ｍ字形状をなし、前記中央谷部を下方に押圧することにより、前記各側面部が内側に弾性変形する弾性変形体を有する差込部材と、を備え、
前記差込部材の各側面部の外側にはそれぞれ係止用の爪部が形成され、各爪部どうしの間隔は、前記隙間距離よりも若干長く形成され、
前記差込部材を前記各ブラケット間に係止する際には、前記各爪部を前記ブラケットの隙間に無理嵌めして前記爪部をブラケットに係止させ、
前記差込部材の係止を解除する際には、前記差込部材の中央谷部を下方に押圧し、前記側面部を内側に変形させて、前記爪部による係止を解除すること
を特徴とするヘルメットの内装体係止具。
【請求項２】
前記差込部材は、該差込部材の差込方向に沿って延びるガイド部材を備え、前記各ブラケットは、前記ガイド部材の着脱方向をガイドするガイド溝を備えたことを特徴とする請求項１に記載のヘルメットの内装体係止具。
【請求項３】
前記差込部材は、前記弾性変形体の中央谷部から上方に延びる縦部材、及び該縦部材の先端部に直交する方向に形成される横部材からなる、正面視Ｔ字形状の押圧部材を備え、
前記押圧部材を下方に押圧することにより、前記差込部材の係止を解除することを特徴とする請求項１または請求項２のいずれかに記載のヘルメットの内装体係止具。
【発明の詳細な説明】
【技術分野】
【０００１】
本発明は、ヘルメットの内面側に設けられ、内装体を係止する係止具に係り、特に、簡単な操作で着脱可能とする技術に関する。
【背景技術】
【０００２】
使用者の頭部を保護するヘルメットは、ボウル形状の帽体と、該帽体の内面側に設けられ、使用者の頭部に直接触れる内装体を備えており、該内装体は、帽体内部に設けられる係止具によって取り付けられる。
【０００３】
従来におけるヘルメット用の内装体係止具として、例えば、特開２００９−６８１５１号公報（特許文献１）に記載されたものが知られている。該特許文献１では、ヘルメットの内面側に一対の掛け止めブラケットを設け、更に、左右にそれぞれつまみ部を有する差込片をブラケット間に挿入することにより、差込片とブラケットとの着脱を行うようにしている。
【０００４】
即ち、差込片は左右にそれぞれ爪部を有し、ヘルメットの使用者がつまみ部をつまんで該つまみ部を弾性変形させることにより、爪部による係合、解除を切り替えることにより、差込片の着脱を行う。
【先行技術文献】
【特許文献】
【０００５】
【特許文献１】特開２００９−６８１５１号公報
【発明の概要】
【発明が解決しようとする課題】
【０００６】
しかしながら、上述した特許文献１に開示された従来例は、左右に設けられる２つのつまみ部を弾性変形させる構成であり、該つまみ部は、根本が１つの点で差し込み片に連結する構成であるので、経時使用により劣化が進み、破損する等の問題が発生する。そこで、何とか寿命を長くすることが可能な内装体係止具の考案が望まれていた。
【０００７】
本発明は、このような従来の課題を解決するためになされたものであり、その目的とするところは、簡単な操作でヘルメット内面に着脱することが可能であり、且つ、経時使用による劣化を防止することが可能なヘルメットの内装体係止具を提供することにある。
【課題を解決するための手段】
【０００８】
上記目的を達成するため、本願請求項１に記載の発明は、ヘルメットの内側に内装体を装着する内装体係止具において、前記ヘルメットの縁部近傍の内側に設けられ、所定の隙間距離を隔てて配置された一対のブラケットと、２つの側面部、及び中央谷部を有する正面視Ｍ字形状をなし、前記中央谷部を下方に押圧することにより、前記各側面部が内側に弾性変形する弾性変形体を有する差込部材と、を備え、前記差込部材の各側面部の外側にはそれぞれ係止用の爪部が形成され、各爪部どうしの間隔は、前記隙間距離よりも若干長く形成され、前記差込部材を前記各ブラケット間に係止する際には、前記各爪部を前記ブラケットの隙間に無理嵌めして前記爪部をブラケットに係止させ、前記差込部材の係止を解除する際には、前記差込部材の中央谷部を下方に押圧し、前記側面部を内側に変形させて、前記爪部による係止を解除することを特徴とする。
【０００９】
請求項２に記載の発明は、前記差込部材は、該差込部材の差込方向に沿って延びるガイド部材を備え、前記各ブラケットは、前記ガイド部材の着脱方向をガイドするガイド溝を備えたことを特徴とする。
【００１０】
請求項３に記載の発明は、前記差込部材は、前記弾性変形体の中央谷部から上方に延びる縦部材、及び該縦部材の先端部に直交する方向に形成される横部材からなる、正面視Ｔ字形状の押圧部材を備え、前記押圧部材を下方に押圧することにより、前記差込部材の係止を解除することを特徴とする。
【発明の効果】
【００１１】
請求項１の発明では、一対のブラケットの間に差込部材を挿入すると、爪部が各ブラケットの隙間部分に無理嵌めされて、各ブラケットに係止される。従って、簡単な操作で差込部材をブラケットに固定することができる。また、ブラケットを取り外す場合には、差込部材の中央谷部を下方に押し付けることにより、２つの爪部の間隔が狭まるので、簡単な操作で、差込部材をブラケットから取り外すことができる。
【００１２】
請求項２の発明では、各ブラケットに設けられるガイド溝にそって、差込部材のガイド部材をスライドさせることができるので、差込部材をブラケットに係止させる操作を容易に行うことができる。
【００１３】
請求項３の発明では、差込部材の中央谷部に正面視Ｔ字形状の押圧部材が設けられるので、使用者はこの押圧部材を下方に押圧するという簡単な操作で、ブラケットに係止されている差込部材を取り外すことが可能となる。
【図面の簡単な説明】
【００１４】
【図１】本発明の一実施形態に係るヘルメットの内装体係止具の構成を示す斜視図であり、差込部材がブラケットに係合している状態を示す。
【図２】本発明の一実施形態に係るヘルメットの内装体係止具の構成を示す斜視図であり、差込部材をブラケットに係合する前の状態を示す。
【図３】本発明の一実施形態に係るヘルメットの内装体係止具の正面図であり、差込部材がブラケットに係合している状態を示す。
【図４】本発明の一実施形態に係るヘルメットの内装体係止具の正面図であり、差込部材をブラケットに係合する前の状態を示す。
【図５】本発明の一実施形態に係る内装体係止具がヘルメットに取り付けられる様子を示す説明図である。
【発明を実施するための形態】
【００１５】
以下、本発明の実施形態を図面に基づいて説明する。図１は、本発明の一実施形態に係るヘルメット１２の内装体係止具１１が係合した状態を示す斜視図、図２は、内装体係止具１１が係合する前の様子を示す斜視図、 図３は、本発明の一実施形態に係るヘルメット１２の内装体係止具１１が係合した状態を示す正面図、図４は、内装体係止具１１が係合する前の様子を示す正面図、図５は、ヘルメット１２の内面に内装体係止具１１が取り付けられる様子を示す説明図である。なお、図１，図２は、内装体係止具１１をヘルメット１２の外面側から透視した図を示している。
【００１６】
図５に示すように、ヘルメット１２の内面には、ヘルメット１２の内面に対して、ヘッドバンド、ハンモック等の内装体を取り付けるための内装体係止具１１が設けられている。そして、該内装体係止具１１を操作することにより、ヘルメット１２の内面に、内装体を装着することや、取り外すことができるようになっている。
【００１７】
図２，図４に示すように、本実施形態に係る内装体係止具１１は、ヘルメット１２の内面に形成されたブラケット１３，１４（一対のブラケット）と、該ブラケット１３，１４に対して着脱が可能とされた差込部材１５を備えており、ハンモックやヘッドバンド等の内装体を差込部材１５に取り付けた状態で、該差込部材１５をブラケット１３，１４に差し込むことにより、ヘルメット１２内に内装具を容易に装着することができる。
【００１８】
ヘルメット１２の内面に形成される各ブラケット１３，１４は、互いに対象な形状をなしており、それぞれ上端面２１，２２を有し、各上端面２１，２２にはＬ字状の切り欠き部２１ａ，２２ａが形成されている。更に、各上端面２１，２２の下方には、ガイド溝２３，２４が形成されている。また、各ブラケット１３，１４の中央には、差込部材１５を着脱する際に、該差込部材１５のスライド移動をガイドするガイド片１６が形成されている。
【００１９】
また、差込部材１５の左右双方には、内装体を係止するための、樹脂等で形成された係止部３１，３２が取り付けられ、更に、下部には係止部３３が取り付けられている。これらの係止部３１〜３３を用いて、ヘッドバンド等の内装体を装着することができる。
【００２０】
更に、差込部材１５の中央には、正面視Ｍ字形状の弾性変形体３４が設けられており、該弾性変形体３４の中央谷部ｐには、正面視Ｔ字形状の押圧片３５（押圧部材）が設けられている。即ち、中央谷部ｐには、該中央谷部ｐから上方に延びる縦部材、及び該縦部材の先端部に直交する方向に形成される横部材からなる正面視Ｔ字形状の押圧片３５が設けられている。
【００２１】
また、弾性変形体３４の左右の側面部には、爪部３４ａ，３４ｂが形成されている。そして、弾性変形体３４は、樹脂等の変形可能な材料で構成されているので、押圧片３５を下方に押圧することにより、各爪部３４ａ，３４ｂは、内側に弾性変形することになる。即ち、各爪部３４ａ，３４ｂの間の距離が狭まる方向に弾性変形することになる。
【００２２】
各爪部３４ａ，３４ｂの間隔は、前述したブラケット１３，１４間の間隔よりも若干長くなるように設定されている。即ち、図４に示す爪部間の距離Ｌ２は、ブラケット間の距離Ｌ１（所定の隙間距離）よりも若干長くなっている。
【００２３】
また、図２に示すように、差込部材１５の左右側方には、該差込部材１５の差込方向に沿って延びるガイド部材４１，４２が設けられており、更に、各ブラケット１３，１４には、このガイド部材４１，４２を差込部材１５の着脱方向に案内するガイド溝２３，２４が形成されている。
【００２４】
次に、本実施形態に係る内装体係止具１１の作用について説明する。初めに、差込部材１５をブラケット１３，１４に装着する際の操作について説明する。差込部材１５をブラケット１３，１４に装着する際には、ガイド部材４１，４２をガイド溝２３，２４内に挿入した状態で、差込部材１５を徐々に上方にスライド移動させる。すると、ガイド部材４１，４２がガイド溝２３，２４に案内されて上方に向けてスライドし、更に、弾性変形体３４の爪部３４ａ，３４ｂが各ブラケット１３，１４の側辺（Ｌ字状に切り替えた部分）と接触する。そして、この状態で更にガイド部材４１，４２を上方に押し込むと、弾性変形体３４の側面部が内側に向けて弾性変形し、爪部３４ａ，３４ｂがブラケット１３，１４の上端面２１，２２間に無理嵌めされる。
【００２５】
そして、爪部３４ａ，３４ｂがブラケット１３，１４の上端面２１，２２の側辺を乗り越えると、図１，図３に示すように、爪部３４ａ，３４ｂがブラケット１３，１４の上端面２１，２２に係止され、差込部材１５が各ブラケット１３，１４にて固定される。即ち、差込部材１５がヘルメット１２の内面に堅固に固定されることになり、この状態で差込部材１５に取り付けられる内装体をヘルメット１２内に装着することが可能となる。
【００２６】
次に、差込部材１５を各ブラケット１３，１４から取り外す際の操作について説明する。使用者が図１，図３に示す押圧片３５を指で下方（図１，図３に示すＹ１の方向）に向けて押圧すると、Ｍ字形状をなす弾性変形体３４の中央谷部ｐが下方に押されることになり、この力により弾性変形体３４の側面が内側（図中矢印Ｙ２の方向）に弾性変形することになる。これに伴って、爪部３４ａ，３４ｂもやはり内側に弾性変形し、２つの爪部３４ａ，３４ｂの間隔が狭まる。そして、この間隔がブラケット１３，１４間の距離Ｌ１よりも短くなると、ブラケット１３，１４による爪部３４ａ，３４ｂの係止が外れ、そのまま差込部材１５はガイド部材４１，４２とガイド溝２３，２４とに案内されて下方にスライド移動する。やがては、差込部材１５はブラケット１３，１４から外れることになる。
【００２７】
即ち、使用者は押圧片３５を下方に押すという操作を行うことにより、この押圧力によって爪部３４ａ，３４ｂの係合が解除され、その後、同一の方向への押圧を継続することにより、差込部材１５をブラケット１３，１４から取り外すことが可能となる。
【００２８】
このようにして、本実施形態に係るヘルメットの内装体係止具１１では、差込部材１５に正面視Ｍ字形状をなす弾性変形体３４を設け、該弾性変形体３４の左右の側面に爪部３４ａ，３４ｂを設ける。そして、差込部材１５を取り付ける場合には、爪部３４ａ，３４ｂをブラケット１３，１４に係止させて、差込部材１５を固定し、取り外す場合には、弾性変形体３４の中央谷部ｐを下方に押圧することにより、弾性変形体３４を弾性変形させて爪部３４ａ，３４ｂとブラケット１３，１４との係合を解除する。従って、簡単な操作で差込部材１５をヘルメット１２の内側に着脱することが可能となる。
【００２９】
また、左右の各爪部３４ａ，３４ｂは、一体化された弾性変形体３４に設けられており、該弾性変形体３４は、２点で差込部材１５と連結されているので、従来のように１点支持の構成と対比して、強度的に堅固となり、長期間に亘る使用による劣化を防止でき、破損する等の問題の発生を軽減することが可能となる。
【００３０】
更に、差込部材１５を取り外す際には、押圧片３５を下方向に押圧することにより、爪部３４ａ，３４ｂの係合が解除され、更に、この方向に差込部材１５がスライド移動してブラケット１３，１４から外れるので、使用者は押圧片３５を同一方向に押すという簡単な操作で、差込部材１５を取り外すことが可能となる。
【００３１】
以上、本発明のヘルメットの内装体係止具を図示の実施形態に基づいて説明したが、本発明はこれに限定されるものではなく、各部の構成は、同様の機能を有する任意の構成のものに置き換えることができる。
【産業上の利用可能性】
【００３２】
本発明は、ヘルメットに装着する内装体の着脱を容易に実行することに利用することができる。
【符号の説明】
【００３３】
１１  内装体係止具
１２  ヘルメット
１３，１４  ブラケット
１５  差込部材
１６  ガイド片
２１，２２  上端面
２１ａ，２２ａ  切り欠き部
２３，２４  ガイド溝
３１，３２  係止部
３３  係止部
３４  弾性変形体
３４ａ，３４ｂ  爪部
３５  押圧片
３５ａ  縦部材
３５ｂ  横部材
４１，４２  ガイド部材
【図１】
2013112914.tif 000003
【図２】
2013112914.tif 000004
【図３】
2013112914.tif 000005
【図４】
2013112914.tif 000006
【図５】
2013112914.tif 000007